(57)【要約】      （修正有）【課題】  回路材が収容されているケース本体にコネクタをボルト締めするまで、ロアカバーにコネクタを仮保持する機構を改良する。【解決手段】  ケース本体１１の下方に、コネクタ３０を仮置きしたロアカバー１８を配置し、ボルト２０をネジ締めして前記コネクタをケース本体の下面に固定する電気接続箱１０において、  前記コネクタ３０のハウジング３１の下端から筒状突起３１ａを下方に突出させ、該筒状突起の下端に中央に貫通穴３１ｂをあけた閉鎖部を設ける一方、前記ロアカバーの底壁１８ｂには、前記筒状突起と対向する位置に、前記貫通穴に挿入する軸部１８ｄと、該軸部上端に設ける係止羽根１８ｅを備えた係止部１８ｃを設け、コネクタがボルト締めされる前は筒状突起内にロアカバーの係止部を挿入して係止羽根を筒状突起内に位置させてコネクタをロアカバーに仮保持し、ボルト締結完了時には、前記係止羽根が貫通穴の内面側周縁に係止される構成とする。【選択図】  図４
2006288105.tif 000002
【特許請求の範囲】
【請求項１】
回路材が収容されている電気接続箱のケース本体の下方に、内部にコネクタを仮置きしたロアカバーを配置し、該コネクタに固定されたナットに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下端から筒状突起を下方に突出させ、該筒状突起の下端に中央に貫通穴をあけた閉鎖部を設ける一方、
前記ロアカバーの底壁には、前記筒状突起と対向する位置に、前記貫通穴に挿入する軸部と、該軸部上端に設けると共に前記貫通穴の内径より外方に突出させた係止羽根を備えた係止部を設け、
前記コネクタがボルト締めされる前は、前記筒状突起内に前記ロアカバーの係止部を挿入して、その係止羽根を筒状突起内に位置させてコネクタをロアカバーに仮保持し、
前記コネクタがボルト締結完了時には、前記係止羽根が貫通穴の内面側周縁に係止される構成としている電気接続箱。
【請求項２】
回路材が収容されている電気接続箱のケース本体の下方に、内部にコネクタを仮置きしたロアカバーを配置し、該コネクタに固定されたナットに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下部にコネクタカバーをロック結合して取り付け、該コネクタカバーの底壁に貫通穴を設ける一方、
前記ロアカバーの底壁には、前記貫通穴と対向する位置に、前記貫通穴に挿入する軸部と、該軸部上端に設けると共に前記貫通穴の内径より外方に突出させた係止羽根を備えた係止部を上向きに突設し、
前記コネクタがボルト締めされる前は、前記コネクタカバーの貫通穴に前記ロアカバーの係止部を挿入して、その係止羽根をコネクタカバー内に位置させてコネクタを仮保持し、
前記コネクタのボルト締結完了時には、前記係止羽根が貫通穴の内面側周縁に係止される構成としている電気接続箱。
【請求項３】
回路材が収容されている電気接続箱のケース本体の下方に、内部にコネクタを仮置きしたロアカバーを配置し、該コネクタに固定されたナっトに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下部にコネクタカバーをロック結合して取り付け、該コネクタカバーの底壁に貫通穴を設ける一方、
前記ロアカバーの底壁には、前記貫通穴と対向する位置に先端が縮径するテーパ状軸部からなる係止部を上向きに突設し、
前記コネクタがボルト締めされる前は、前記コネクタカバーの貫通穴に前記ロアカバーの係止部の下端外周が圧接してコネクタを仮保持する構成としている電気接続箱。
【請求項４】
前記コネクタカバーの周壁の下部から底壁にかけて段状凹部を設ける一方、
前記ロアカバーの底壁から前記段状凹部に嵌合する位置決め保持片を突設している請求項１乃至請求項３のいずれか１項に記載の電気接続箱。
【請求項５】
前記ロアカバーの内部に複数の前記コネクタを収容し、各コネクタと対応する位置の底壁から前記係止部を突設している請求項１乃至請求項４のいずれか１項に記載の電気接続箱。
【発明の詳細な説明】
【技術分野】
【０００１】
本発明は、電気接続箱に関し、詳しくは、ケース本体の内部回路材と接続するコネクタをロアカバーの内部に仮置きしておき、ケース本体側からのボルト締めでケース本体の下面に固定するものである。
【背景技術】
【０００２】
従来、自動車に搭載する電気接続箱において、ケース内部に収容した回路材と電線端末に接続した多極コネクタとをインパクトレンチを用いたボルト締めで取り付け、コネクタの接続作業時の操作力の低減を図るものがある。
【０００３】
この種の電気接続箱として、特開平８−１４８２２４号公報（特許文献１）において、図７に示す電気接続箱１が提供されている。該電気接続箱１は、アッパーケース２、ロアケース３および多極のコネクタ４にそれぞれ設けた貫通穴２ａ、３ａ、４ａにボルトＢを通し、コネクタ４内に埋設したナットと締結してコネクタ４をロアケース３下面のコネクタ収容部３ｂ内に固定している。
【０００４】
しかしながら、特許文献１で提供されている電気接続箱１では、コネクタ４をケースにボルト締めするまで、コネクタ４をコネクタ収容部３ｂに仮係止できる構造になっていないため、コネクタ収容部３ｂに収容されたコネクタ４を作業員が手で保持しながらボルト締めしなければならず、また、コネクタ４が位置ズレしやすく、ボルト締め作業が煩雑となり作業効率が悪くなる問題がある。
【０００５】
これに対して、米国特許第６０７７１０２号公報（特許文献２）で提供されている電気接続箱では、コネクタの本体ケース（コネクタハウジング）の下部に取り付けて、コネクタハウジングに接続する電線を保護するコネクタカバーにロック部を設け、該ロック部でロアカバー側に仮係止しておき、前記コネクタがケース本体側にボルト締めされた時にロアカバー側とのロックが解除される構成とされている。
【０００６】
しかしながら、コネクタハウジングの下部に取り付けて電線の保護を行うコネクタカバーにロアカバー側とのロック機構を設けることは、コネクタハウジングと比べてコネクタカバーの強度が低くいことから好ましくない。
また、コネクタがボルト締めでケース本体に締め付け固定された後は、ロアカバー側とのロックが外れる構成とされているが、コネクタの端子収容室内にケース本体内に収容している端子が挿入係止して電気接続されているため、経年経過後にボルトの緩み発生や外部的な衝撃振動が負荷されてボルトに緩みが発生する場合を想定すると、コネクタとロアカバーのロックを解除する構成とすることは、コネクタの接続信頼性の点で好ましくない。
【０００７】
【特許文献１】特開平８−１４８２２４号公報
【特許文献２】米国特許第６０７７１０２号公報
【発明の開示】
【発明が解決しようとする課題】
【０００８】
本発明は前記問題に鑑みてなされたものであり、コネクタカバーにロック機構を設けてロアカバーに仮保持しておく機構を廃止しながら、コネクタがケース本体にボルト締結するまでロアカバーに仮保持する構成とすると共に、コネクタがケース本体側にボルト締めで固定された後もロアカバー側に係止される構成と、コネクタの接続信頼性を高めることを課題としている。
さらに、コネクタがボルト締めされる時にガイドする機構も付加して、コネクタの端子収容室内にケース本体側の端子が精度よく挿入されるようにすることも課題としている。
【課題を解決するための手段】
【０００９】
前記課題を解決するため、第一の発明として、回路材が収容されている電気接続箱のケース本体の下方に、内部にコネクタを仮置きしたロアカバーを配置し、該コネクタに固定されたナットに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下端から筒状突起を下方に突出させ、該筒状突起の下端に中央に貫通穴をあけた閉鎖部を設ける一方、
前記ロアカバーの底壁には、前記筒状突起と対向する位置に、前記貫通穴に挿入する軸部と、該軸部上端に設けると共に前記貫通穴の内径より外方に突出させた係止羽根を備えた係止部を設け、
前記コネクタがボルト締めされる前は、前記筒状突起内に前記ロアカバーの係止部を挿入して、その係止羽根を筒状突起内に位置させてコネクタをロアカバーに仮保持し、
前記コネクタがボルト締結完了時には、前記係止羽根が貫通穴の内面側周縁に係止される構成としている電気接続箱を提供している。
【００１０】
前記構成によれば、ロアカバーに設けられた係止部は、係止羽根を撓ませて容易に筒状突起の貫通穴に挿入でき、コネクタがボルト締めされるまでは、係止部の係止羽根を筒状突起内に位置させた状態で保持されるため、この係止部の存在により筒状突起、ひいてはコネクタ全体の水平方向の位置ズレを防止することができる。よって、コネクタがケース本体にボルト締めされるまでに、ロアカバー内でコネクタを正規位置に仮保持しておくことができる。
コネクタをケース本体にボルト締めする際には、コネクタが正規位置に位置決めされており、ボルトをコネクタに埋設したナットに確実に貫通させてボルト締め作業を容易にすることができる。
さらに、ロアカバー内に仮置きされたコネクタが、衝撃や振動により抜け方向に移動しても、貫通穴の内径より外方に突出した係止羽根が貫通穴の内面側周縁に係止されることにより、コネクタがロアカバーから脱落することを防止できる。
かつ、コネクタハウジングの下端から下方に突出させた筒状突起内にロアカバーの係止部が挿入されるため、コネクタハウジングの下部にコネクタカバーを取り付けて電線群を収容した場合にも係止部により電線群に損傷を与えることがない。
【００１１】
また、ボルト締結時には、筒状突起の内周壁面に係止羽根が摺接してガイドすることができる。したがって、コネクタの端子収容室にケース本体側の端子を精度良く挿入させることができ、端子に変形を発生させることも防止できる。
さらに、ボルト締結完了位置では、係止羽根が貫通穴の内面側周縁に係止される状態で保持される。其の際、コネクタは中央部がボルトにより固定され、さらにコネクタハウジングにロック結合して取り付けられたコネクタカバーにロアカバーの係止部が係止することで、振動や衝撃が負荷された際にもコネクタの位置決め保持ができる。
【００１２】
また、第二の発明として、回路材が収容されている電気接続箱のケース本体の下方に、内部にコネクタを仮置きしたロアカバーを配置し、該コネクタに固定されたナットに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下部にコネクタカバーをロック結合して取り付け、該コネクタカバーの底壁に貫通穴を設ける一方、
前記ロアカバーの底壁には、前記貫通穴と対向する位置に、前記貫通穴に挿入する軸部と、該軸部上端に設けると共に前記貫通穴の内径より外方に突出させた係止羽根を備えた係止部を上向きに突設し、
前記コネクタがボルト締めされる前は、前記コネクタカバーの貫通穴に前記ロアカバーの係止部を挿入して、その係止羽根をコネクタカバー内に位置させてコネクタを仮保持し、
前記コネクタのボルト締結完了時には、前記係止羽根が貫通穴の内面側周縁に係止される構成としている電気接続箱を提供している。  
【００１３】
コネクタハウジングにコネクタカバーを取り付けておくと、コネクタハウジングに接続された電線群がバラバラにならずに、コネクタカバー内部に収容した状態でロアカバー内部に収容することができ、コネクタのボルト締め時に、隣接するコネクタの電線群とからみついたりすることなくスムーズに各コネクタをケース本体側に締結することができる。
ここでは、コネクタカバーには貫通穴のみを設ける構成としている。
【００１４】
前記構成によれば、ロアカバーに設けられた係止部は、係止羽根を撓ませて容易にコネクタカバーの貫通穴に挿入でき、コネクタがボルト締めされるまでは、ロアカバーに設けられた係止部の係止羽根をコネクタカバー内に位置させた状態で保持されるため、この係止部の存在によりコネクタカバー、ひいてはコネクタ全体の水平方向の位置ズレを防止することができる。よって、コネクタがケース本体にボルト締めされるまでに、ロアカバー内でコネクタを正規位置に仮保持しておくことができる。
コネクタをケース本体にボルト締めする際には、コネクタが正規位置に位置決めされており、ボルトをコネクタに埋設したナットに確実に貫通させてボルト締め作業を容易にすることができる。
さらに、ロアカバー内に仮置きされたコネクタが、衝撃や振動により抜け方向に移動しても、貫通穴の径より外方に突出した係止羽根が貫通穴の内面側周縁に係止されることにより、コネクタがロアカバーから脱落することが防止できる。
【００１５】
また、ボルト締結時には、係止部の軸部が貫通穴の縁部に当接することで傾きを修正しながらガイドするため、コネクタが傾くことなく真上に上昇する。したがって、ボルトがコネクタのナットに対して斜めに挿入されることなく、コネクタの端子収容室にケース本体側の端子を精度良く挿入させることができ、端子に変形を発生させることも防止できる。
さらに、ボルト締結完了位置では、係止羽根が貫通穴の内面側周縁に係止される状態で保持される。其の際、コネクタは中央部がボルトにより固定され、さらにコネクタハウジングにロック結合して取り付けられたコネクタカバーにロアカバーの係止部が係止することで、振動や衝撃が負荷された際にもコネクタの位置決め保持ができる。
【００１６】
前記第一の発明および第二の発明において、ロアカバーに設けられる係止羽根は軸部の先端から左右に折り返して貫通穴の内径より外方に突出させた形状とし、ボルト締結時に係止羽根が貫通穴の内面側周縁に確実に係止できるように、係止羽根の先端に係止段部を設けることが好ましい。
【００１７】
また、第三の発明として、回路材が収容されている電気接続箱のケース本体の下方に、内部にコネクタを仮置きしたロアカバーを配置し、該コネクタに固定されたナットに対して、ボルトを前記ケース本体の上方から貫通してネジ締めして前記コネクタをケース本体の下面に固定して、該コネクタの端子収容室に前記回路材の端子を挿入している電気接続箱において、
前記コネクタのハウジングの下部にコネクタカバーをロック結合して取り付け、該コネクタカバーの底壁に貫通穴を設ける一方、
前記ロアカバーの底壁には、前記貫通穴と対向する位置に先端が縮径するテーパ状軸部からなる係止部を上向きに突設し、
前記コネクタがボルト締めされる前は、前記コネクタカバーの貫通穴に前記ロアカバーの係止部の下端外周が圧接してコネクタを仮保持する構成としている電気接続箱を提供している。  
【００１８】
前記構成によれば、コネクタがボルト締めされるまでは、コネクタカバー底壁に設けられた貫通穴に、ロアカバーに設けられたテーパ状軸部からなる係止部の下端外周が圧接した状態で保持されるため、コネクタカバー、ひいてはコネクタ全体の位置ズレを防止することができる。よって、コネクタがケース本体にボルト締めされるまでに、ロアカバー内でコネクタを正規位置に仮保持しておくことができる。
コネクタをケース本体にボルト締めする際には、コネクタが正規位置に位置決めされており、ボルトをコネクタに埋設したナットに確実に貫通させてボルト締め作業を容易にすることができる。
【００１９】
前記第一〜第三の発明においては、前記コネクタカバーの周壁の下部から底壁にかけて段状凹部を設ける一方、前記ロアカバーの底壁から前記段状凹部に嵌合する位置決め保持片を突設していることが好ましい。
前記構成によれば、コネクタをロアカバー内の正規位置に仮保持させた状態において、コネクタカバーに設けられた段状凹部を、ロアカバーに突設された位置決め保持片に嵌合させることにより、より確実に仮保持させることができる。
【００２０】
さらに、前記位置決め保持片には、コネクタカバーの段状凹部に嵌合する段状凸部から上方にガイド片部を延出させておくことが好ましい。これにより、ボルト締結時には、コネクタカバーの周壁がガイド片部の内面に摺接して、コネクタが傾くことなく真上に上昇するため、ボルトがコネクタのナットに対して斜めに挿入されることなく、コネクタの端子収容室にケース本体側の端子を精度良く挿入させることができ、端子に変形を発生させることも防止できる。
【００２１】
前記コネクタは、ロアカバーの内部に複数収容し、各コネクタと対応する位置の底壁から前記係止部を突設している。
前記構成によれば、ケース本体にボルト締め固定するコネクタが複数ある場合であっても、コネクタをロアカバーの所定の位置に仮置きして係止部をコネクタ側に挿入して位置決めしておくことができるため、ロアカバー内に仮置きされたコネクタ上にケース本体を配置して、それぞれボルト締めしていけば、位置合わせをすることなく各コネクタをケース本体の所定の箇所にボルト締め固定することができる。
【発明の効果】
【００２２】
前述したように、第一の発明によれば、コネクタがボルト締めされるまでは、ロアカバーに設けられた係止部の係止羽根をコネクタハウジングの下端から突出させた筒状突起内に位置させた状態で保持されるため、この係止部の存在により筒状突起ひいてはコネクタ全体の水平方向の位置ズレを防止することができ、コネクタをロアカバーの内部に正規位置に保持しておくことができる。かつ、ロアカバー内に仮置きされたコネクタが衝撃や振動によりロアカバーから抜け方向に移動しても、貫通穴の内径より外方に突出した係止羽根が貫通穴の内面側周縁に係止されるため、コネクタがロアカバーから脱落することを防止できる。
【００２３】
また、コネクタをケース本体にボルト締めする際には、コネクタがロアカバーの正規位置に位置決めされているため、ボルトをコネクタに固定したナットに確実に貫通させてボルト締め作業を容易にすることができる。
さらに、ボルト締結時には、コネクタが傾きかけても筒状突起の内周壁面に近接する係止羽根が筒状突起の内周壁面に当接することで傾きを修正しながらガイドするため、コネクタが傾くことなく真上に上昇し、ボルトがコネクタのナットに対して斜めに挿入されることなく、コネクタをケース本体に対して所定の角度で固定することができる。よって、コネクタの端子収容穴に挿入される本体ケース側の端子に変形や損傷を発生させず、コネクタの接続信頼性を高めることができる。
さらにまた、コネクタがケース本体にボルト締結された後も係止羽根が貫通穴の内面側周縁に係止される状態で保持されるため、コネクタを本体ケースに対してより確実に位置決めできる。
【００２４】
前述したように、第二の発明によれば、コネクタがボルト締めされるまでは、ロアカバーに設けられた係止部の係止羽根を、コネクタハウジンクにロック結合して取り付けられたコネクタカバー内に位置させた状態で保持されるため、この係止部の存在によりコネクタカバー、ひいてはコネクタ全体の水平方向の位置ズレを防止することができ、コネクタをロアカバーの内部に正規位置に保持しておくことができる。かつ、ロアカバー内に仮置きされたコネクタが衝撃や振動によりロアカバーから抜け方向に移動しても、貫通穴の内径より外方に突出した係止羽根が貫通穴の内面側周縁に係止されるため、コネクタがロアカバーから脱落することを防止できる。
【００２５】
また、コネクタをケース本体にボルト締めする際には、コネクタがロアカバーの正規位置に位置決めされているため、ボルトをコネクタに固定したナットに確実に貫通させてボルト締め作業を容易にすることができる。
さらに、ボルト締結時には、コネクタが傾きかけても係止部の軸部が貫通穴の縁部に当接することで傾きを修正しながらガイドするため、コネクタが傾くことなく真上に上昇し、ボルトがコネクタのナットに対して斜めに挿入されることなく、コネクタをケース本体に対して所定の角度で固定することができる。よって、コネクタの端子収容穴に挿入される本体ケース側の端子に変形や損傷を発生させず、コネクタの接続信頼性を高めることができる。
さらにまた、コネクタがケース本体にボルト締結された後も係止羽根が貫通穴の内面側周縁に係止される状態で保持されるため、コネクタを本体ケースに対してより確実に位置決めできる。
【００２６】
前述したように、第三の発明によれば、コネクタがボルト締めされるまでは、コネクタカバー底壁に設けられた貫通穴に、ロアカバーに設けられたテーパ状軸部からなる係止部の下端外周が圧接した状態で保持されるため、コネクタカバー、ひいてはコネクタ全体の水平方向の位置ズレを防止することができる。よって、コネクタをロアカバーの内部に正規位置に保持しておくことができる。
また、コネクタをケース本体にボルト締めする際には、コネクタが正規位置に位置決めされており、ボルトをコネクタに埋設したナットに確実に貫通させてボルト締め作業を容易にすることができる。
【発明を実施するための最良の形態】
【００２７】
本発明の実施形態を図面を参照して説明する。
図１乃至図４は、第一実施形態を示す。
図１に示すように、電気接続箱１０は、内部回路を備えたケース本体１１、該ケース本体１１の下面にボルト２０で締結固定する３個の多極のコネクタ３０、該多極コネクタ３０を仮置きしておくロアカバー１８、ケース本体１１の上部より被せるアッパーカバー１７とから構成している。
【００２８】
ケース本体１１は、図２に示すように、アッパーケース１２とロアケース１３からなり、該ケース本体１１の内に導電性金属板を打抜加工して所要形状に形成したバスバー（回路材）１４と絶縁板１５とを交互に積層した積層体１６を収容している。
ロアケース１３には３カ所に下向きに突出した四角枠部１３ｂを突出して、コネクタ収容部１３ａを設けている。
該コネクタ収容部１３ａの上面側中央部にケース本体側へと突出させたボルト挿通筒１３ｃを突設し、アッパーケース１２に設けたボルト穴１２ａと連通させている。
連通させたボルト穴１２ａ、ボルト挿通筒１３ｃにボルト２０を上方から貫通させ、ボルト２０の下側をコネクタ収容部１３ａ内に突出させた状態している。
【００２９】
また、バスバー１４の先端を下方に屈曲させてタブ（図示せず）を設け、該タブをロアケース１３に設けた端子穴１３ｄを通して、コネクタ収容部１３ａ内に突出させている。バスバー１４には上方に屈曲させて形成したタブ（図示せず）をアッパーケース１２のヒューズ収容部１２ｂやリレー収容部１２ｃに収容したヒューズ、リレー（図示せず）の端子と接続する構成としている。
【００３０】
前記コネクタ３０は、多極の端子収容室を設けたコネクタハウジング３１（以下、コネクタ本体と称す）の下部にコネクタカバー３２をロック結合している。前記端子収容室にはコネクタ３０がケース本体にボルト締結された際に、ケース本体１１内のバスバー１４から立設したタブを挿入され、端子収容室内に挿入係止されている電線端末の端子と嵌合接続される。
コネクタ本体３１の略中央に上下に貫通するボルト挿入部３０ａを設け、該ボルト挿入部３０ａの下部にナット３３を埋設している。コネクタカバー３２の側壁には電線引出口３２ａを設け、該電線引出口３２ａを通してコネクタ３０に接続した電線（図示せず）を外部に引き出している。
【００３１】
図４に示すように、コネクタ本体３１は四角形状で、その下端から筒状突起３１ａが下方に突出している。筒状突起３１ａの下端には中央に貫通穴３１ｂを開けた閉鎖部３１ｃが設けられている。また、コネクタ本体３１にロック結合したコネクタカバー３２にも、筒状突起３１ａの貫通穴３１ｂに連通する同一寸法の貫通穴３２ｂが設けられている。なお、筒状突起３１ａを除くコネクタカバー３２内には、コネクタ本体３１に接続された電線群ｗが収容されている。
一方、ロアカバー１８の底壁１８ｂには、筒状突起３１ａと対向する位置に、コネクタカバーの貫通穴３２ｂおよび筒状突起３１ａの貫通穴３１ｂに挿入される係止部１８ｃ  が設けられている。係止部１８ｃは、軸部１８ｄとその上端に設けられる係止羽根１８ｅとから構成され、係止羽根１８ｅは軸部１８ｄの先端から左右に折り返して、貫通穴３１ｂの内径より外方に突出させた形状であり、係止羽根１８ｅの先端には、係止段部１８ｆが設けられている。
また、図３に示すように、ロアカバー１８の底壁から位置決め枠１８ｇを設け、該位置決め枠１８ｇで複数のコネクタ３０を所定位置に配置できるようにしている。本実施形態では、ロアカバー１８内に３つのコネクタ３０を配置できるようにしている。
【００３２】
次に、前記構造からなる電気接続箱の組みつけについて説明する。
ケース本体１１にボルト締結される前は、図４（Ａ）および図３に示すように、コネクタ３０はロアカバー１８内に仮置き状態で収容している。
其の際、コネクタカバー３２の貫通穴３２ｂおよび各コネクタ本体３１の下方に突出させた筒状突起３１ａの貫通穴３１ｂに、ロアカバー底壁１８ｂに設けた係止部１８ｃを挿入し、その係止羽根１８ｅを筒状突起３１ａ内に位置させた状態で保持する。これにより、コネクタ３０は水平方向に位置ズレを起こすことができず、ロアカバー１８内の正規位置に仮保持される。
また、衝撃や振動が負荷されてコネクタ３０がロアカバー１８の上端開口側の抜け方向に移動しても、係止羽根１８ｅが貫通穴３１ｂの内面側周縁に係止され、コネクタ３０の脱落が防止される。
【００３３】
この状態で、ロアカバー１８をケース本体１１のロアケース１３の下面側の正規位置に配置すると、ケース本体１１を貫通させたボルト２０と、ロアカバー１８内のコネクタ３０のボルト挿入部３０ａとが対向配置される。
【００３４】
次いで、インパクトレンチ（図示せず）を用いてボルト２０をボルト締めすると、ボルト２０がコネクタ本体３１内のナット３３に螺嵌し、コネクタ３０が真上に上昇する。
ボルト締結完了位置では、図４（Ｂ）に示すように、係止羽根１８ｅの係止段部１８ｆが貫通穴３１ｂの内面側周縁に係止される。
【００３５】
コネクタ３０がケース本体１１のコネクタ収容部１３ａの正規位置まで挿入されたとき、コネクタ収容部１３ａ内に突出したバスバー１４のタブがコネクタ３０の端子穴を通して端子収容室に挿入され、電線端末の雌端子と接続される。
【００３６】
前記構成によれば、コネクタ３０がケース本体１１にボルト締めされるまでは、ロアカバー１８に設けられた係止部１８ｃの係止羽根１８ｅを、コネクタ本体３１の下端に突出させた筒状突起３１ａ内に位置させた状態で保持するため、コネクタ３０が水平方向に位置ズレすることなくロアカバー１８内の正規位置に仮保持される。よって、コネクタ３０をケース本体１１にボルト締めする際には、コネクタ３０が正規位置に位置決めでき、ボルト２０をコネクタ３０に固定したナット３３に確実に貫通させてボルト締め作業を容易にすることができる。
かつ、ボルト締め前は、ロアカバー１８内に仮置きされたコネクタ３０に衝撃や振動が負荷されて、ロアカバー１８に対して抜け方向に移動すると、係止羽根１８ｅが貫通穴３１ｂの内面側周縁に係止され、コネクタ３０がロアカバー１８から脱落することが防止できる。
【００３７】
また、ボルト締結時には、コネクタ３０が傾きかけても筒状突起３１ａの内周壁面に近接する係止羽根１８ｅが筒状突起３１ａの内周壁面に当接することで傾きを修正しながらガイドするため、コネクタ３０が傾くことなく真上に上昇し、ボルト２０がコネクタ３０のナット３３に対して斜めに挿入されることなく、コネクタ３０をケース本体１１に対して所定の角度で固定することができる。よって、コネクタ本体３１の端子収容室にケース本体側のバスバー１４の端子を精度よく挿入できる。
さらに、ボルト締結完了位置では、係止羽根１８ｅの係止段部１８ｆが貫通穴３１ｂの内面側周縁に係止されるため、コネクタ３０をケース本体１１に対して位置決め保持できる。
【００３８】
図５は第二実施形態を示す。ここでは第一実施形態における筒状突起は設けず、図５に示すように、コネクタ本体３１にロック結合して取り付けたコネクタカバー３２の底壁に貫通穴３２ｂを設け、その貫通穴３２ｂに第一実施形態と同様の係止部１８ｃを挿入させるものである。ロアカバー１８の底壁１８ｂには、貫通穴３２ｂと対向する位置に、貫通穴３２ｂに挿入される係止部１８ｃが設けられている。係止部１８ｃの形状は、第一実施形態における係止部と同様であるので、説明は省略する。
【００３９】
次に、前記構造からなる電気接続箱の組みつけについて説明する。
ケース本体１１にボルト締結される前は、図５（Ａ）に示すように、コネクタ３０はロアカバー１８内に仮置き状態で収容している。
其の際、コネクタカバー３２の貫通穴３２ｂに、ロアカバー底壁１８ｂに設けた係止部１８ｃを挿入し、その係止羽根１８ｅをコネクタカバー３２内に位置させた状態で保持する。これにより、コネクタ３０は水平方向に位置ズレを起こすことができず、ロアカバー１８内の正規位置に仮保持される。
また、衝撃や振動が負荷されてコネクタ３０がロアカバー１８の上端開口側の抜け方向に移動しても、係止羽根１８ｅが貫通穴３２ｂの内面側周縁に係止され、コネクタ３０の脱落が防止される。
【００４０】
この状態で、ロアカバー１８をケース本体１１のロアケース１３の下面側の正規位置に配置すると、ケース本体１１を貫通させたボルト２０と、ロアカバー１８内のコネクタ３０のボルト挿入部３０ａとが対向配置される。
【００４１】
次いで、インパクトレンチ（図示せず）を用いてボルト２０をボルト締めすると、ボルト２０がコネクタ本体３１内のナット３３に螺嵌し、コネクタ３０が真上に上昇する。
ボルト締結完了位置では、図５（Ｂ）に示すように、係止羽根１８ｅの係止段部１８ｆが貫通穴３２ｂの内面側周縁に係止される。
【００４２】
コネクタ３０がケース本体１１のコネクタ収容部１３ａの正規位置まで挿入されたとき、コネクタ収容部１３ａ内に突出したバスバー１４のタブがコネクタ３０の端子穴を通して端子収容室に挿入され、電線端末の雌端子と接続される。
【００４３】
前記構成によれば、コネクタ３０がケース本体１１にボルト締めされるまでは、ロアカバー底壁１８ｂに設けられた係止部１８ｃの係止羽根１８ｅをコネクタカバー３２内に位置させた状態で保持するため、コネクタ３０が水平方向に位置ズレすることなくロアカバー１８内の正規位置に仮保持される。よって、コネクタ３０をケース本体１１にボルト締めする際には、コネクタ３０が正規位置に位置決めでき、ボルト２０をコネクタ３０に固定したナット３３に確実に貫通させてボルト締め作業を容易にすることができる。
かつ、ボルト締め前は、ロアカバー１８内に仮置きされたコネクタ３０に衝撃や振動が負荷されて、ロアカバー１８に対して抜け方向に移動すると、係止羽根１８ｅが貫通穴３２ｂの内面側周縁に係止され、コネクタ３０がロアカバー１８から脱落することが防止できる。
【００４４】
また、ボルト締結時には、コネクタ３０が傾きかけても係止部１８ｃの軸部１８ｄがコネクタカバー３２に設けられた貫通穴３２ｂの縁部に当接することで傾きを修正しながらガイドするため、コネクタ３０が傾くことなく真上に上昇し、ボルト２０がコネクタ３０のナット３３に対して斜めに挿入されることなく、コネクタ３０をケース本体１１に対して所定の角度で固定することができる。よって、コネクタ本体３１の端子収容室にケース本体側のバスバー１４の端子を精度よく挿入できる。
さらに、ボルト締結完了位置では、係止羽根１８ｅの係止段部１８ｆが貫通穴３２ｂの内面側周縁に係止されるため、コネクタ３０をケース本体１１にボルト締め固定した状態でのコネクタ３０を位置決めできる。
【００４５】
図６は、第三実施形態を示す。図６に示すように、コネクタ本体３１にロック結合により取り付けたコネクタカバー３２の底壁に貫通穴３２ｂを設け、ロアカバー１８の底壁１８ｂには、貫通穴３２ｂと対向する位置に、先端が縮径するテーパ状軸部からなる係止部１８ｃ’が上向きに設けられている。コネクタ３０がボルト締めされる前、係止部１８ｃ’の下端１８ｄ’外周が貫通穴３２ｂに圧接するように、テーパ状軸部の下端部１８ｄ’の径を貫通穴３２ｂの内径より若干大きめに形成している。
さらに、コネクタカバー３２の周壁の下部から底壁にかけて段状凹部３２ｃを設けるとともに、コネクタ３０が正規位置にあるときに段状凹部３２ｃに嵌合する位置決め保持片１８ｈをロアカバーの底壁１８ｂに設けている。位置決め保持片１８ｈは、コネクタカバー３２の段状凹部３２ｃに嵌合する段状凸部１８ｉと、段状凸部１８ｉから上方に延出したガイド片部１８ｊとから構成されている。  
【００４６】
次に、前記構造からなる電気接続箱の組みつけについて説明する。
ケース本体１１にボルト締結される前は、図６（Ａ）に示すように、コネクタ３０はロアカバー１８内に仮置き状態で収容している。
其の際、コネクタカバー３２の貫通穴３２ｂに、ロアカバー底壁１８ｂに設けたテーパ状軸部からなる係止部１８ｃ’を挿入し、係止部１８ｃ’の下端１８ｄ’外周が貫通穴３２ｂに圧接した状態で保持する。これにより、コネクタ３０は水平方向に位置ズレすることができず、ロアカバー１８内の正規位置に仮保持される。このとき、コネクタカバー３２に設けた段状凹部３２ｃは、ロアカバー底壁１８ｂに設けた位置決め保持片１８ｈの段状凸部１８ｉに嵌合した状態となっている。
【００４７】
この状態で、ロアカバー１８をケース本体１１のロアケース１３の下面側の正規位置に配置すると、ケース本体１１を貫通させたボルト２０と、ロアカバー１８内のコネクタ３０のボルト挿入部３０ａとが対向配置される。
次いで、インパクトレンチ（図示せず）を用いてボルト２０をボルト締めすると、ボルト２０がコネクタ本体３１内のナット３３に螺嵌し、コネクタカバー３２の周壁が前記ガイド片部１８ｊの内面に摺接して、コネクタ３０が傾くことなく真上に上昇する。
【００４８】
コネクタ３０がケース本体１１のコネクタ収容部１３ａの正規位置まで挿入されたとき、コネクタ収容部１３ａ内に突出したバスバー１４のタブがコネクタ３０の端子穴を通して端子収容室に挿入され、電線端末の雌端子と接続される。
【００４９】
前記構成によれば、コネクタ３０がケース本体１１にボルト締めされるまでは、ロアカバー底壁１８ｂに設けたテーパ状軸部からなる係止部１８ｃ’の下端１８ｄ’外周が貫通穴３２ｂに圧接した状態で保持するため、コネクタ３０が水平方向に位置ズレすることなくロアカバー１８内の正規位置に仮保持される。よって、コネクタ３０をケース本体１１にボルト締めする際には、コネクタ３０が正規位置に位置決めでき、ボルト２０をコネクタ３０に固定したナット３３に確実に貫通させてボルト締め作業を容易にすることができる。
また、コネクタカバー３２の周壁の下部から底壁にかけて段状凹部３２ｃを設けるとともに、段状凹部３２ｃに嵌合する位置決め保持片１８ｈをロアカバー底壁１８ｂに設けることにより、より確実にコネクタ３０をロアカバー１８内の正規位置に仮保持させることができるとともに、位置決め保持片１８ｈの段状凸部１８ｉから上方に延出するガイド片部１８ｊを設けることで、ボルト締め時に、コネクタカバー３２の周壁がガイド片部１８ｊの内面に摺接して、コネクタ３０を真上に上昇させることができる。
【図面の簡単な説明】
【００５０】
【図１】本発明の実施形態の電気接続箱の分解斜視図である。
【図２】組みつけ状態の電気接続箱の断面図である。
【図３】ロアカバーにコネクタを収容した状態を示す平面図である。
【図４】（Ａ）（Ｂ）は第一実施形態における、ケース本体にコネクタをボルト締め固定する工程を示す図面である。
【図５】（Ａ）（Ｂ）は第二実施形態における、ケース本体にコネクタをボルト締め固定する工程を示す図面である。
【図６】（Ａ）（Ｂ）は第三実施形態における、ケース本体にコネクタをボルト締め固定する工程を示す図面である。
【図７】従来例を示す図面である。
【符号の説明】
【００５１】
１０  電気接続箱
１１  ケース本体
１２  アッパーケース
１３  ロアケース
１３ａ  コネクタ収容部
１４  バスバー
１５  絶縁板
１８  ロアカバー
１８ｃ、１８ｃ’  係止部
２０  ボルト
３０  コネクタ
３１  コネクタのハウジング（コネクタ本体）
３１ａ  筒状突起
３１ｂ  （筒状突起の）貫通穴
３２  コネクタカバー
３２ｂ  （コネクタカバーの）貫通穴
３３  ナット
【図１】
2006288105.tif 000003
【図２】
2006288105.tif 000004
【図３】
2006288105.tif 000005
【図４】
2006288105.tif 000006
【図５】
2006288105.tif 000007
【図６】
2006288105.tif 000008
【図７】
2006288105.tif 000009